(57)【要約】【課題】表示パネルに対する部材のアライメント精度を向上させる。【解決手段】液晶表示装置１０は、液晶パネル１１の板面に対して偏光板１２及び部材であるバックライト装置１３を重なるよう取り付けてなり、液晶パネル１１、偏光板１２及びバックライト装置１３の外形が非矩形状とされる液晶表示装置１０であって、液晶パネル１１に設けられて板面内に配されるパネルアライメントマーク１４と、偏光板１２に設けられてパネルアライメントマーク１４に対する位置関係に基づいて液晶パネル１１に対する偏光板１２の取付位置を判別可能な偏光板アライメントマーク１５と、バックライト装置１３に設けられてパネルアライメントマーク１４に対する位置関係に基づいて液晶パネル１１に対するバックライト装置１３の取付位置を判別可能なバックライトアライメントマーク１６と、を備える。【選択図】図７
2019070734.tif 000002
【特許請求の範囲】
【請求項１】
画像を表示する表示パネルの板面に対して偏光板及び部材を重なるよう取り付けてなり、前記表示パネル、前記偏光板及び前記部材の外形が非矩形状とされる表示装置であって、
前記表示パネルに設けられて前記板面内に配されるパネルアライメントマークと、
前記偏光板に設けられて前記パネルアライメントマークに対する位置関係に基づいて前記表示パネルに対する前記偏光板の取付位置を判別可能な偏光板アライメントマークと、
前記部材に設けられて前記パネルアライメントマークに対する位置関係に基づいて前記表示パネルに対する前記部材の取付位置を判別可能な部材アライメントマークと、を備える表示装置。
【請求項２】
前記部材には、前記表示パネルに対して表示のための光を照射する照明装置が少なくとも含まれる請求項１記載の表示装置。
【請求項３】
前記照明装置は、光源と、前記表示パネルの前記板面に並行する板面を有していて前記光源からの光に光学作用を付与する光学部材と、を少なくとも有しており、
前記部材アライメントマークは、前記光学部材の前記板面内において開口するよう設けられている請求項２記載の表示装置。
【請求項４】
前記部材には、前記表示パネルを外側から覆って保護する保護パネルが少なくとも含まれる請求項１から請求項３のいずれか１項に記載の表示装置。
【請求項５】
前記保護パネルには、遮光性を有する遮光性意匠部が設けられており、
前記遮光性意匠部は、前記パネルアライメントマーク及び前記偏光板アライメントマークと重畳するよう配されていて前記部材アライメントマークを兼ねる請求項４記載の表示装置。
【請求項６】
前記表示パネルは、一対の基板を貼り合わせてなり、
前記パネルアライメントマークは、前記一対の基板にそれぞれ設けられている請求項１から請求項５のいずれか１項に記載の表示装置。
【請求項７】
前記偏光板は、前記表示パネルを挟み込むよう一対が取り付けられており、
前記偏光板アライメントマークは、一対の前記偏光板にそれぞれ設けられている請求項６記載の表示装置。
【請求項８】
前記偏光板は、前記表示パネルを挟み込むよう一対が取り付けられており、
一対の前記偏光板のうち、一方の前記偏光板は、前記偏光板アライメントマークを有するのに対し、他方の前記偏光板は、外形が非矩形状で且つ回転非対称形状とされる請求項１から請求項６のいずれか１項に記載の表示装置。
【請求項９】
前記表示パネルは、前記板面に画像が表示される表示面を含んでおり、
一方の前記偏光板は、前記表示パネルに対して前記表示面側とは反対側に配される請求項８記載の表示装置。
【請求項１０】
前記表示パネル、前記偏光板及び前記部材は、外形が円形状をなしており、
前記パネルアライメントマーク、前記偏光板アライメントマーク及び前記部材アライメントマークは、前記表示パネル、前記偏光板及び前記部材における中心より外周端の近くに配される請求項１から請求項９のいずれか１項に記載の表示装置。
【請求項１１】
前記表示パネルは、画像が表示される表示領域と、前記表示領域を取り囲んでいて前記外周端を含む非表示領域と、に区分されており、
前記パネルアライメントマーク、前記偏光板アライメントマーク及び前記部材アライメントマークは、前記非表示領域に配される請求項１から請求項１０のいずれか１項に記載の表示装置。
【発明の詳細な説明】
【技術分野】
【０００１】
本発明は、表示装置に関する。
【背景技術】
【０００２】
従来の液晶表示装置に備わる液晶表示パネルの一例として下記特許文献１に記載されたものが知られている。特許文献１に記載された液晶表示パネルは、液晶表示パネル及び偏光板のうち少なくともいずれか一方の平面形状が、矩形以外の異形の形状であり、配向膜には、貼り合わせの目印として偏光板に設けられた第１のアライメントマークと位置合わせをして偏光板と貼り合わせる、貼り合わせの目印としての第２のアライメントマークが形成されている。
【先行技術文献】
【特許文献】
【０００３】
【特許文献１】国際公開第２００７／１０８２４４号公報
【発明の概要】
【発明が解決しようとする課題】
【０００４】
上記した特許文献１に記載されたような矩形以外の異形の形状となる液晶表示パネルに対して光を照射するバックライト装置などの部材は、液晶表示パネルと同様に矩形以外の異形の形状となる。このため、例えばバックライト装置が液晶表示パネルに対して位置ずれした状態で組み付けられると、バックライト装置から照射される光の利用効率が悪化するなどの問題が生じるおそれがあった。
【０００５】
本発明は上記のような事情に基づいて完成されたものであって、表示パネルに対する部材のアライメント精度を向上させることを目的とする。
【課題を解決するための手段】
【０００６】
本発明の表示装置は、画像を表示する表示パネルの板面に対して偏光板及び部材を重なるよう取り付けてなり、前記表示パネル、前記偏光板及び前記部材の外形が非矩形状とされる表示装置であって、前記表示パネルに設けられて前記板面内に配されるパネルアライメントマークと、前記偏光板に設けられて前記パネルアライメントマークに対する位置関係に基づいて前記表示パネルに対する前記偏光板の取付位置を判別可能な偏光板アライメントマークと、前記部材に設けられて前記パネルアライメントマークに対する位置関係に基づいて前記表示パネルに対する前記部材の取付位置を判別可能な部材アライメントマークと、を備える。
【０００７】
このようにすれば、表示パネルの板面に対して偏光板を重なるよう取り付ける際には、表示パネルに設けられて板面内に配されたパネルアライメントマークと、偏光板に設けられた偏光板アライメントマークと、の位置関係に基づいて表示パネルに対する偏光板の取付位置を判別することができるので、表示パネル及び偏光板の外形が非矩形状とされていても、表示パネルに対して偏光板を適切な取付位置でもって取り付けることができる。これにより、表示パネルに対する偏光板のアライメント精度が向上する。
【０００８】
そして、表示パネルの板面に対して部材を重なるよう取り付ける際には、表示パネルのパネルアライメントマークと、部材に設けられた部材アライメントマークと、の位置関係に基づいて表示パネルに対する部材の取付位置を判別することができる。従って、表示パネル及び部材の外形が非矩形状とされていても、表示パネルに対して部材を適切な取付位置でもって取り付けることができる。これにより、表示パネルに対する部材のアライメント精度が向上する。このように、表示パネルに対する偏光板のアライメントをとるためのパネルアライメントマークを利用して表示パネルに対する部材のアライメントをとることができるから、仮に、表示パネルに偏光板用のパネルアライメントマークと部材用のパネルアライメントマークとを別途に設けるようにした場合に比べると、表示パネルにおけるパネルアライメントマークの配置スペースが小さくなる。これにより、パネルアライメントマークの設置が外観や表示品位などに影響し難くなる。
【発明の効果】
【０００９】
本発明によれば、表示パネルに対する部材のアライメント精度を向上させることができる。
【図面の簡単な説明】
【００１０】
【図１】本発明の実施形態１に係る液晶表示装置の平面図
【図２】液晶表示装置の断面図
【図３】液晶表示装置を構成する液晶パネルの平面図
【図４】液晶表示装置を構成する一対の偏光板のうちの第１偏光板の平面図
【図５】一対の偏光板のうちの第２偏光板の平面図
【図６】液晶表示装置を構成するバックライト装置の平面図
【図７】パネルアライメントマークと偏光板アライメントマーク及びバックライトアライメントマークとが整合した状態を示す平面図
【図８】パネルアライメントマークと偏光板アライメントマーク及びバックライトアライメントマークとが回転方向について不整合となった状態を示す平面図
【図９】パネルアライメントマークと偏光板アライメントマーク及びバックライトアライメントマークとがＸ軸方向について不整合となった状態を示す平面図
【図１０】パネルアライメントマークと偏光板アライメントマーク及びバックライトアライメントマークとがＹ軸方向について不整合となった状態を示す平面図
【図１１】本発明の実施形態２に係る第２偏光板の平面図
【図１２】第１偏光板の平面図
【図１３】本発明の実施形態３に係る液晶表示装置の平面図
【図１４】液晶表示装置の断面図
【図１５】パネルアライメントマークと遮光性意匠部と偏光板アライメントマーク及びバックライトアライメントマークとが整合した状態を示す平面図
【図１６】パネルアライメントマークと遮光性意匠部と偏光板アライメントマーク及びバックライトアライメントマークとが回転方向について不整合となった状態を示す平面図
【図１７】本発明の実施形態３に係る液晶表示装置の断面図
【発明を実施するための形態】
【００１１】
＜実施形態１＞
本発明の実施形態１を図１から図１０によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、上下方向については、図２を基準とし、且つ同図上側を表側とするとともに同図下側を裏側とする。
【００１２】
図１は、液晶表示装置１０の平面図である。液晶表示装置１０は、図１に示すように、全体として略円形状（非矩形状）をなす。図２は、液晶表示装置１０の断面図である。液晶表示装置１０は、図２に示すように、画像を表示可能な透過型の液晶パネル（表示パネル）１１を有する。液晶表示装置１０は、液晶パネル１１の表裏の各板面に貼り付けられる一対の偏光板１２を有する。液晶表示装置１０は、液晶パネル１１に対して裏側に重なるよう配されて液晶パネル１１に表示のための光を照射するバックライト装置（照明装置、部材）１３を有する。液晶表示装置１０は、例えばスマートウォッチなどのウェアラブル端末（図示せず）に用いられるのが好ましいが、必ずしもその限りではない。
【００１３】
まず、液晶パネル１１について説明する。液晶パネル１１は、図２に示すように、ほぼ透明で優れた透光性を有するガラス製の一対の基板１１Ａ，１１Ｂを有する。液晶パネル１１は、両基板１１Ａ，１１Ｂ間に挟持されて電界印加に伴って光学特性が変化する物質である液晶分子を含む液晶層１１Ｃを有する。液晶パネル１１は、液晶層１１Ｃを取り囲んで液晶層１１Ｃをシールするシール部１１Ｄを有する。一対の基板１１Ａ，１１Ｂのうち表側（正面側）がＣＦ基板１１Ａとされ、裏側（背面側）がアレイ基板１１Ｂとされる。表側に配されるＣＦ基板１１Ａにおける外側の板面が、画像が表示される表示面１１ＤＳとされる。図３は、液晶パネル１１の平面図である。液晶パネル１１は、図３に示すように、外形が平面に視て略円形状（非矩形状）をなしており、その中心側に画像が表示される略円形状の表示領域ＡＡを有している。液晶パネル１１は、表示領域ＡＡを取り囲む略円環状をなしていて画像が表示されることがない非表示領域ＮＡＡを有している。非表示領域ＮＡＡは、液晶パネル１１の外周端部を含む。なお、図１及び図３では、表示領域ＡＡと非表示領域ＮＡＡとの境界位置を一点鎖線によりそれぞれ図示している。
【００１４】
次に、液晶パネル１１の表示領域ＡＡにおける内部構造について簡単に説明するが、内部構造に係る各種構造物の図示は省略する。アレイ基板１１Ｂの内面側には、スイッチング素子であるＴＦＴ（Thin Film Transistor）及び画素電極が多数個マトリクス状（行列状）に並んで設けられる。アレイ基板１１Ｂの内面側には、ＴＦＴ及び画素電極の周りに格子状をなすゲート配線及びソース配線が取り囲むようにして配設されている。ゲート配線及びソース配線には、画像に係る信号がそれぞれ伝送される。ゲート配線及びソース配線により囲まれた領域に配された画素電極は、透明電極材料からなる。このように、アレイ基板１１Ｂには、各種配線を構成する金属膜、画素電極を構成する透明電極膜、互いに積層される金属膜や透明電極膜を絶縁するための絶縁膜などが積層形成されており、各膜がフォトリソグラフィ法などによりパターニングされている。一方、ＣＦ基板１１Ａの内面側には、各画素電極に対応した位置に多数個のカラーフィルタが設けられている。カラーフィルタは、Ｒ，Ｇ，Ｂの三色が交互に並ぶ配置とされる。ＣＦ基板１１Ａの内面側には、隣り合うカラーフィルタ間の混色を防ぐなどのために遮光部（ブラックマトリクス）が設けられている。遮光部は、表示領域ＡＡでは隣り合うカラーフィルタ間を仕切るよう格子状に形成されているものの、非表示領域ＮＡＡではベタ状に形成されている。ＣＦ基板１１Ａの内面側には、各画素電極と対向状をなしていて透明電極材料からなる対向電極が設けられている。ＣＦ基板１１Ａにおいても、上記したアレイ基板１１Ｂと同様に、カラーフィルタ及び遮光部などを構成する各膜がフォトリソグラフィ法などによりパターニングされている。また、両基板１１Ａ，１１Ｂの内面側には、液晶層１１Ｃに含まれる液晶分子を配向させるための配向膜がそれぞれ形成されている。配向膜は、例えばポリイミドからなるものとされており、両基板１１Ａ，１１Ｂの内面側においてベタ状に配されている。
【００１５】
次に、偏光板１２について説明する。偏光板１２は、液晶パネル１１の板面に沿う板面を有するフィルム状とされる（図２を参照）。以下では、偏光板１２を構成する各層について説明するが、いずれも図示は省略する。偏光板１２は、自然光から直線偏光を作り出すための偏光層を有している。偏光層は、ＰＶＡ（ポリビニルアルコール）フィルムなどの高分子樹脂フィルムにヨウ素、二色性染料等の吸収体を混入し一方向に延伸することで吸収体を配向させてなる偏光子を、ＴＡＣ（トリアセチルセルロース）フィルムなどの保護フィルムによって挟み込んだ構成とされる。このように一軸延伸される偏光層を有する偏光板１２は、透過軸（偏光軸）と、透過軸に対して直交した吸収軸と、を有しており、それにより円偏光を直線偏光に変換することができる。また、偏光板１２は、偏光層の外面側（液晶パネル１１側とは反対側）に積層されて偏光層を保護するためのラミネータ層（保護層）と、偏光層の内面側（液晶パネル１１側）に積層されて液晶パネル１１の外面に対して固着される固着層と、を有する。固着層は、偏光層の内面に塗布される粘着材などからなる。なお、偏光板１２の具体的な構成は上記に限定されず、例えば位相差板を追加するなど適宜に変更することが可能である。このような構成の偏光板１２は、液晶パネル１１の表裏外面に一対が貼り付けられるのであるが、透過軸（吸収軸）が互いに直交する配置、つまりクロスニコル配置とされている。このクロスニコル配置によれば、液晶パネル１１は、非通電時（画素電極に電圧が印加されていないとき）に透過率が最小で黒表示となるノーマリブラックモードとされる。なお、以下では、一対の偏光板１２を区別する場合には、液晶パネル１１に対して裏側（表示面１１ＤＳ側とは反対側）に配されるものを第１偏光板（一方の偏光板）１２αとし、表側（表示面１１ＤＳ側）に配されるものを第２偏光板（他方の偏光板）１２βとする。
【００１６】
図４は、第１偏光板１２αの平面図である。一対の偏光板１２のうちの第１偏光板１２αは、図４に示すように、外形が平面に視て液晶パネル１１と同様に略円形状（非矩形状）をなしており、回転対称形状とされる。図５は、第２偏光板１２βの平面図である。第２偏光板１２βは、図５に示すように、平面に視て円形の一部を切り欠いたような形状（非矩形状）をなしている。詳しくは、第２偏光板１２βは、図５に示される下側の端部が直線状に切り欠かれており、Ｘ軸方向に沿って直線状をなす直線状外形部１２β１を有している。従って、第２偏光板１２βは、回転非対称形状とされる。これにより、第２偏光板１２βを液晶パネル１１に対して取り付ける際には、第２偏光板１２β自身の外形（直線状外形部１２β１）を利用することで、液晶パネル１１に対して第２偏光板１２βを適切な取付位置でもって取り付けることが可能となっている。
【００１７】
続いて、バックライト装置１３について説明する。図６は、バックライト装置１３の平面図である。バックライト装置１３は、図６に示すように、外形が平面に視て液晶パネル１１と同様に略円形状（非矩形状）をなしている。バックライト装置１３は、それぞれ図示を省略するが、光源（例えばＬＥＤ、有機ＥＬなど）と、光源から発せられる光を透過しつつ光学作用を付与する光学部材と、光を反射して液晶パネル１１側へ向かわせる反射シートと、を少なくとも備える。光学部材には、反射シートに対して表側に重なるよう配されて光源からの光を導光しつつ面状光として出射させる導光板と、導光板に対して表側に重なるよう配されて導光板から出射した光に集光作用や拡散作用などを付与する光学シートと、が含まれる。光学シートには、光学作用として集光作用を発揮する集光シートや、光学作用として拡散作用を発揮する拡散シートなどが含まれる。集光シートには、集光作用が特定の方向に限定されるプリズムシートが含まれる。このバックライト装置１３は、液晶パネル１１における裏側の板面に対して直接取り付けられることがなく、間に第１偏光板１２αが介在する形で間接的に取り付けられる（図２を参照）。バックライト装置１３は、液晶パネル１１及び第１偏光板１２αに対してＯＣＡ(Optical Clear Adhesive)フィルムなどにより固定される。また、バックライト装置１３の外形は、液晶パネル１１の外形より一回り大きくされている（図１を参照）。
【００１８】
ところで、偏光板１２を液晶パネル１１に対して貼り合わせる際には、液晶パネル１１における配向膜の配向軸に対して偏光板１２の偏光軸または透過軸を合わせるよう、偏光板１２を液晶パネル１１に対して位置決めする必要がある。このとき、仮に偏光板１２の偏光軸または透過軸が配向膜の配向軸に対して位置ずれすると、黒表示時であっても光漏れが生じ易くなるため、コントラスト性能が低下するおそれがある。さらには、バックライト装置１３を液晶パネル１１に対して取り付ける際に液晶パネル１１の板面に沿い且つ互いに直交するＸ軸方向及びＹ軸方向について位置ずれした状態で取り付けられると、バックライト装置１３から照射された光に液晶パネル１１に入射せずに外部に漏れ出すものが生じるおそれがある。それ以外にも、液晶パネル１１の板面に沿い且つその中心周りの回転方向についてバックライト装置１３が位置ずれした状態で取り付けられると、バックライト装置１３に含まれるプリズムシートの集光方向が配向膜の配光軸や偏光板１２の偏光軸などに対して位置ずれする。そうなると、液晶パネル１１に入射した光に起因する干渉縞（モアレ）が生じることが懸念される。
【００１９】
そこで、本実施形態に係る液晶パネル１１、第１偏光板１２α及びバックライト装置１３には、液晶パネル１１に対する第１偏光板１２α及びバックライト装置１３の取付位置のアライメントをとるため、パネルアライメントマーク１４、偏光板アライメントマーク１５及びバックライトアライメントマーク（部材アライメントマーク）１６がそれぞれ設けられている。パネルアライメントマーク１４は、図３に示すように、液晶パネル１１の板面内に設けられる。パネルアライメントマーク１４は、液晶パネル１１における非表示領域ＮＡＡに配されており、液晶パネル１１の中心より外周端に近い配置とされる。パネルアライメントマーク１４は、約９０°の角度間隔を空けた位置に合計で４つが配されている。パネルアライメントマーク１４は、平面に視た形状が長方形の枠状とされる。パネルアライメントマーク１４は、液晶パネル１１を構成する一対の基板１１Ａ，１１Ｂ（図２を参照）のそれぞれに設けられている。ＣＦ基板１１Ａ側のパネルアライメントマーク１４は、例えば遮光部のうち非表示領域ＮＡＡに配された部分の一部を開口させて形成されている。アレイ基板１１Ｂ側のパネルアライメントマーク１４は、例えば絶縁膜のうち非表示領域ＮＡＡに配された部分の一部を開口させて形成されている。
【００２０】
偏光板アライメントマーク１５は、図４に示すように、第１偏光板１２αの板面内に設けられる。偏光板アライメントマーク１５は、非表示領域ＮＡＡと重畳する配置とされており、第１偏光板１２αの中心より外周端に近い配置とされる。偏光板アライメントマーク１５は、約９０°の角度間隔を空けた位置に合計で４つが配されている。偏光板アライメントマーク１５は、平面に視た形状が長方形状とされ、その外寸がパネルアライメントマーク１４の外寸とほぼ同じとされる。第１偏光板１２αを液晶パネル１１に取り付ける際には、パネルアライメントマーク１４に対する偏光板アライメントマーク１５の位置関係に基づいて液晶パネル１１に対する第１偏光板１２αの取付位置を判別することが可能とされる。
【００２１】
バックライトアライメントマーク１６は、図６に示すように、バックライト装置１３を構成する光学部材（導光板または光学シート）に設けられている。バックライトアライメントマーク１６は、光学部材の板面内において開口するよう設けられている。バックライトアライメントマーク１６は、非表示領域ＮＡＡと重畳する配置とされており、バックライト装置１３の中心より外周端に近い配置とされる。バックライトアライメントマーク１６は、約９０°の角度間隔を空けた位置に合計で４つが配されている。バックライトアライメントマーク１６は、平面に視た形状が長方形状とされ、その外寸がパネルアライメントマーク１４及び偏光板アライメントマーク１５の外寸とほぼ同じとされる。バックライト装置１３を液晶パネル１１に取り付ける際には、パネルアライメントマーク１４に対するバックライトアライメントマーク１６の位置関係に基づいて液晶パネル１１に対するバックライト装置１３の取付位置を判別することが可能とされる。
【００２２】
本実施形態は以上のような構造であり、続いてその作用を説明する。それぞれ別途に製造された液晶パネル１１、偏光板１２及びバックライト装置１３を組み付けることで、液晶表示装置１０が製造される。以下、図７から図１０を用いて偏光板１２及びバックライト装置１３の取り付け作業について説明する。図７は、パネルアライメントマーク１４と偏光板アライメントマーク１５及びバックライトアライメントマーク１６とが整合した状態を示す平面図である。図８は、パネルアライメントマーク１４と偏光板アライメントマーク１５及びバックライトアライメントマーク１６とが回転方向について不整合となった状態を示す平面図である。図９は、パネルアライメントマーク１４と偏光板アライメントマーク１５及びバックライトアライメントマーク１６とがＸ軸方向について不整合となった状態を示す平面図である。図１０は、パネルアライメントマーク１４と偏光板アライメントマーク１５及びバックライトアライメントマーク１６とがＹ軸方向について不整合となった状態を示す平面図である。なお、図７から図１０では、偏光板アライメントマーク１５及びバックライトアライメントマーク１６を同じ二点鎖線により図示している。また、図７から図１０では、液晶パネル１１におけるパネルアライメントマーク１４の非形成領域（遮光部が残存する遮光領域）を網掛け状にして図示している。
【００２３】
一対の偏光板１２の取り付け作業について説明する。一対の偏光板１２は、液晶パネル１１における表裏の板面に対してそれぞれ重なるよう取り付けられる。図５に示される回転非対称形状とされる第２偏光板１２βの取り付けに際しては、第２偏光板１２β自身の外形（直線状外形部１２β１）を利用することで、液晶パネル１１に対して第２偏光板１２βを適切な取付位置でもって取り付けることができる。一方、図４に示される回転対称形状とされる第１偏光板１２αの取り付けに際しては、液晶パネル１１の板面内に設けられたパネルアライメントマーク１４と、第１偏光板１２αの板面内に設けられた偏光板アライメントマーク１５と、の位置関係に基づいて液晶パネル１１に対する第１偏光板１２αの取付位置を判別することができる。例えば、図７に示すように、パネルアライメントマーク１４の外形（Ｘ軸方向に沿う部分とＹ軸方向に沿う部分）と、偏光板アライメントマーク１５の外形と、が互いに並行し且つほぼ一致する配置となる場合には、液晶パネル１１に対する第１偏光板１２αの取付位置が正常であると判断することができる。一方、図８及び図９に示すように、パネルアライメントマーク１４の外形に対して偏光板アライメントマーク１５の外形がＸ軸方向またはＹ軸方向について位置ずれした配置となる場合には、液晶パネル１１に対する第１偏光板１２αの取付位置がＸ軸方向またはＹ軸方向について位置ずれしていると判断することができる。さらには、図１０に示すように、パネルアライメントマーク１４の外形に対して偏光板アライメントマーク１５の外形が回転方向について位置ずれした配置となる場合には、液晶パネル１１に対する第１偏光板１２αの取付位置が回転方向について位置ずれしていると判断することができる。以上により、パネルアライメントマーク１４に対する偏光板アライメントマーク１５の位置関係に基づいて、液晶パネル１１に対する第１偏光板１２αの取付位置が正常になるようアライメントをとることができる。もって、液晶パネル１１に対する第１偏光板１２αのアライメント精度が向上する。
【００２４】
続いて、バックライト装置１３の取り付け作業について説明する。バックライト装置１３は、液晶パネル１１及び第１偏光板１２αにおける裏側の板面に対して重なるよう取り付けられる。図６に示される回転対称形状とされるバックライト装置１３の取り付けに際しては、液晶パネル１１の板面内に設けられたパネルアライメントマーク１４と、バックライト装置１３の光学部材の板面内に設けられたバックライトアライメントマーク１６と、の位置関係に基づいて液晶パネル１１に対するバックライト装置１３の取付位置を判別することができる。例えば、図７に示すように、パネルアライメントマーク１４の外形と、バックライトアライメントマーク１６の外形と、が互いに並行し且つほぼ一致する配置となる場合には、液晶パネル１１に対するバックライト装置１３の取付位置が正常であると判断することができる。一方、図８に示すように、パネルアライメントマーク１４の外形に対してバックライトアライメントマーク１６の外形が回転方向について位置ずれした配置となる場合には、液晶パネル１１に対するバックライト装置１３の取付位置が回転方向について位置ずれしていると判断することができる。さらには、図９及び図１０に示すように、パネルアライメントマーク１４の外形に対してバックライトアライメントマーク１６の外形がＸ軸方向またはＹ軸方向について位置ずれした配置となる場合には、液晶パネル１１に対するバックライト装置１３の取付位置がＸ軸方向またはＹ軸方向について位置ずれしていると判断することができる。以上により、パネルアライメントマーク１４に対するバックライトアライメントマーク１６の位置関係に基づいて、液晶パネル１１に対するバックライト装置１３の取付位置が正常になるようアライメントをとることができる。もって、液晶パネル１１に対するバックライト装置１３のアライメント精度が向上する。具体的には、液晶パネル１１の板面に沿い且つ互いに直交するＸ軸方向及びＹ軸方向について液晶パネル１１に対するバックライト装置１３のアライメント精度が向上することで、バックライト装置１３から液晶パネル１１へ照射される光に漏れが生じ難くなり、もって輝度低下の発生を抑制することができる。液晶パネル１１の板面に沿う回転方向について液晶パネル１１に対するバックライト装置１３のアライメント精度が向上することで、バックライト装置１３から液晶パネル１１へ照射される光にプリズムシートによる特定の角度付けがなされていても、液晶パネル１１に入射した光に起因する干渉縞が生じ難くなり、もって表示不良の発生を抑制することができる
【００２５】
以上のように、液晶パネル１１に対する偏光板１２のアライメントをとるためのパネルアライメントマーク１４を利用して液晶パネル１１に対する部材であるバックライト装置１３のアライメントをとることができるから、仮に、液晶パネル１１に偏光板用のパネルアライメントマークと部材であるバックライト装置用のパネルアライメントマークとを別途に設けるようにした場合に比べると、液晶パネル１１におけるパネルアライメントマーク１４の配置スペースが小さくなるので、パネルアライメントマーク１４の設置が外観や表示品位などに影響し難くなる。しかも、パネルアライメントマーク１４は、液晶パネル１１を構成する一対の基板１１Ａ，１１Ｂのそれぞれに設けられているので、アライメント精度がより高くなる。さらには、偏光板アライメントマーク１５が設けられた第１偏光板１２αは、液晶パネル１１に対して裏側に配されるので、偏光板アライメントマーク１５が使用者から視認され難くなり、外観が優れるとともに表示品位が良好になる。また、各アライメントマーク１４，１５，１６が液晶表示装置１０の中心より外周端の近くに配されているので、アライメント精度がより高くなっている。
【００２６】
以上説明したように本実施形態の液晶表示装置（表示装置）１０は、画像を表示する液晶パネル（表示パネル）１１の板面に対して偏光板１２及び部材であるバックライト装置１３を重なるよう取り付けてなり、液晶パネル１１、偏光板１２及び部材であるバックライト装置１３の外形が非矩形状とされる液晶表示装置（表示装置）１０であって、液晶パネル１１に設けられて板面内に配されるパネルアライメントマーク１４と、偏光板１２に設けられてパネルアライメントマーク１４に対する位置関係に基づいて液晶パネル１１に対する偏光板１２の取付位置を判別可能な偏光板アライメントマーク１５と、部材であるバックライト装置１３に設けられてパネルアライメントマーク１４に対する位置関係に基づいて液晶パネル１１に対する部材であるバックライト装置１３の取付位置を判別可能なバックライトアライメントマーク（部材アライメントマーク）１６と、を備える。
【００２７】
このようにすれば、液晶パネル１１の板面に対して偏光板１２を重なるよう取り付ける際には、液晶パネル１１に設けられて板面内に配されたパネルアライメントマーク１４と、偏光板１２に設けられた偏光板アライメントマーク１５と、の位置関係に基づいて液晶パネル１１に対する偏光板１２の取付位置を判別することができるので、液晶パネル１１及び偏光板１２の外形が非矩形状とされていても、液晶パネル１１に対して偏光板１２を適切な取付位置でもって取り付けることができる。これにより、液晶パネル１１に対する偏光板１２のアライメント精度が向上する。
【００２８】
そして、液晶パネル１１の板面に対して部材であるバックライト装置１３を重なるよう取り付ける際には、液晶パネル１１のパネルアライメントマーク１４と、部材であるバックライト装置１３に設けられたバックライトアライメントマーク１６と、の位置関係に基づいて液晶パネル１１に対する部材であるバックライト装置１３の取付位置を判別することができる。従って、液晶パネル１１及び部材であるバックライト装置１３の外形が非矩形状とされていても、液晶パネル１１に対して部材であるバックライト装置１３を適切な取付位置でもって取り付けることができる。これにより、液晶パネル１１に対する部材であるバックライト装置１３のアライメント精度が向上する。このように、液晶パネル１１に対する偏光板１２のアライメントをとるためのパネルアライメントマーク１４を利用して液晶パネル１１に対する部材であるバックライト装置１３のアライメントをとることができるから、仮に、液晶パネル１１に偏光板用のパネルアライメントマークと部材であるバックライト装置用のパネルアライメントマークとを別途に設けるようにした場合に比べると、液晶パネル１１におけるパネルアライメントマーク１４の配置スペースが小さくなる。これにより、パネルアライメントマーク１４の設置が外観や表示品位などに影響し難くなる。
【００２９】
また、部材には、液晶パネル１１に対して表示のための光を照射するバックライト装置（照明装置）１３が少なくとも含まれる。このようにすれば、パネルアライメントマーク１４とバックライトアライメントマーク１６との位置関係に基づいて液晶パネル１１に対する部材であるバックライト装置１３の取付位置を判別することが可能となる。これにより、液晶パネル１１の板面に沿い且つ互いに直交する２方向について液晶パネル１１に対するバックライト装置１３のアライメント精度が向上するので、バックライト装置１３から液晶パネル１１へ照射される光に漏れが生じ難くなり、もって輝度低下の発生を抑制することができる。さらには、液晶パネル１１の板面に沿う回転方向について液晶パネル１１に対するバックライト装置１３のアライメント精度が向上するので、バックライト装置１３から液晶パネル１１へ照射される光に特定の角度付けがなされていた場合に、液晶パネル１１に入射した光に起因する干渉縞（モアレ）が生じ難くなり、もって表示不良の発生を抑制することができる。
【００３０】
また、バックライト装置１３は、光源と、液晶パネル１１の板面に並行する板面を有していて光源からの光に光学作用を付与する光学部材と、を少なくとも有しており、バックライトアライメントマーク１６は、光学部材の板面内において開口するよう設けられている。このようにすれば、光源から発せられた光は、光学部材によって所定の光学作用を付与されてから液晶パネル１１へと照射される。バックライト装置１３を構成する光学部材には、その板面内において開口するようバックライトアライメントマーク１６が設けられているから、仮にバックライト装置１３に遮光性部材である反射シートが含まれていてその遮光性部材である反射シートを開口させてバックライトアライメントマーク１６を設けるようにした場合に光漏れが問題になるおそれがあるのに比べると、そのような光漏れの問題が生じるのが避けられる。
【００３１】
また、液晶パネル１１は、一対の基板１１Ａ，１１Ｂを貼り合わせてなり、パネルアライメントマーク１４は、一対の基板１１Ａ，１１Ｂにそれぞれ設けられている。このようにすれば、一対の基板１１Ａ，１１Ｂのそれぞれにパネルアライメントマーク１４が設けられているので、アライメント精度がより高くなる。
【００３２】
また、偏光板１２は、液晶パネル１１を挟み込むよう一対が取り付けられており、一対の偏光板１２のうち、第１偏光板（一方の偏光板）１２αは、偏光板アライメントマーク１５を有するのに対し、第２偏光板（他方の偏光板）１２βは、外形が非矩形状で且つ回転非対称形状とされる。このようにすれば、第１偏光板１２αを液晶パネル１１に対して取り付ける際には、パネルアライメントマーク１４と偏光板アライメントマーク１５との位置関係に基づいて液晶パネル１１に対する第１偏光板１２αの取付位置を判別することが可能となる。第２偏光板１２βを液晶パネル１１に対して取り付ける際には、第２偏光板１２βの外形が非矩形状で且つ回転非対称形状とされているので、第２偏光板１２βの外形を利用することで、液晶パネル１１に対して第２偏光板１２βを適切な取付位置でもって取り付けることが可能となる。
【００３３】
また、液晶パネル１１は、板面に画像が表示される表示面１１ＤＳを含んでおり、第１偏光板１２αは、液晶パネル１１に対して表示面１１ＤＳ側とは反対側に配される。このようにすれば、偏光板アライメントマーク１５が設けられた第１偏光板１２αが液晶パネル１１に対して表示面１１ＤＳ側とは反対側に配されるので、偏光板アライメントマーク１５が使用者から視認され難くなり、外観が優れるとともに表示品位が良好になる。
【００３４】
また、液晶パネル１１、偏光板１２及び部材であるバックライト装置１３は、外形が円形状をなしており、パネルアライメントマーク１４、偏光板アライメントマーク１５及びバックライトアライメントマーク１６は、液晶パネル１１、偏光板１２及び部材であるバックライト装置１３における中心より外周端の近くに配される。このようにすれば、仮にパネルアライメントマーク、偏光板アライメントマーク及びバックライトアライメントマークが液晶パネル１１、偏光板１２及び部材であるバックライト装置１３における外周端より中心の近くに配された場合に比べると、アライメント精度がより高くなる。
【００３５】
また、液晶パネル１１は、画像が表示される表示領域ＡＡと、表示領域ＡＡを取り囲んでいて外周端を含む非表示領域ＮＡＡと、に区分されており、パネルアライメントマーク１４、偏光板アライメントマーク１５及びバックライトアライメントマーク１６は、非表示領域ＮＡＡに配される。このようにすれば、各アライメントマークが表示領域ＡＡに表示される画像に影響し難くなるので、表示品位が良好になる。
【００３６】
＜実施形態２＞
本発明の実施形態２を図１１または図１２によって説明する。この実施形態２では、偏光板アライメントマーク１１５が第２偏光板１１２βに設けられた場合を示す。なお、上記した実施形態１と同様の構造、作用及び効果について重複する説明は省略する。
【００３７】
図１１は、第２偏光板１１２βの平面図である。本実施形態に係る偏光板アライメントマーク１１５は、図１１に示すように、一対の偏光板１１２のうちの第２偏光板１１２βの板面内に設けられている。図１２は、第１偏光板１１２αの平面図である。第１偏光板１１２αは、図１２に示すように、偏光板アライメントマーク１１５を有しておらず、外形が回転非対称形状とされている。従って、第１偏光板１１２αを図示しない液晶パネルに対して取り付ける際には、自身の外形（直線状外形部１１２α１）を利用することで、適切な取付位置でもって取り付けられる。第２偏光板１１２βの取り付けの際には、図示しないパネルアライメントマークと偏光板アライメントマーク１１５との位置関係に基づいて適切な取付位置でもって取り付けられる。
【００３８】
＜実施形態３＞
本発明の実施形態３を図１３から図１６によって説明する。この実施形態３では、上記した実施形態１に記載した構成に保護パネル１７を追加するなどしたものを示す。なお、上記した実施形態１と同様の構造、作用及び効果について重複する説明は省略する。
【００３９】
図１３は、液晶表示装置３１０の平面図であり、図１４は、液晶表示装置３１０の断面図である。本実施形態に係る液晶表示装置２１０は、図１３及び図１４に示すように、液晶パネル２１１を外側から覆って保護するための保護パネル１７を備える。なお、図１３には、液晶パネル２１１に表示される画像の一例として長針ＬＨ及び短針ＳＬからなるアナログ時計を二点鎖線により示している。保護パネル１７は、外形が平面に視て液晶パネル２１１と同様に略円形状（非矩形状）をなしている。保護パネル１７は、その外形がバックライト装置２１３より一回り大きくされているか、若しくは同じ大きさとされている。保護パネル１７は、ほぼ透明で優れた透光性を有するガラス製で板状をなしており、好ましくは強化ガラスからなる。
【００４０】
保護パネル１７の板面内には、図１３に示すように、アナログ時計の長針ＬＨ及び短針ＳＬに対するアワーマーク（時字）として遮光性意匠部１８が設けられている。遮光性意匠部１８は、例えば遮光性を有する塗料を保護パネル１７における表側または裏側の板面に塗布することで形成されている。また、遮光性意匠部１８の他の形成方法としては、保護パネル１７にレーザ光を照射するようにしても構わない。遮光性意匠部１８は、非表示領域ＮＡＡと重畳する配置とされており、保護パネル１７の中心より外周端に近い配置とされる。遮光性意匠部１８は、約９０°の角度間隔を空けた位置（アナログ時計における３時、６時、９時及び１２時となる位置）に合計で４つが配されている。遮光性意匠部１８は、平面に視て長方形状をなしている。図１５は、パネルアライメントマーク２１４と遮光性意匠部１８と偏光板アライメントマーク２１５及びバックライトアライメントマーク２１６とが整合した状態を示す平面図である。なお、図１５では、保護パネル１７における遮光性意匠部１８の形成領域（遮光領域）を網掛け状にして図示している。そして、遮光性意匠部１８は、図１５に示すように、平面に視てパネルアライメントマーク２１４及び偏光板アライメントマーク２１５と重畳するよう配されている。このようにすれば、パネルアライメントマーク２１４及び偏光板アライメントマーク２１５を光が透過した場合であってもその光を遮光性意匠部１８によって遮ることができる。これにより、外観に優れるとともに表示品位が良好になる。この遮光性意匠部１８は、パネルアライメントマーク２１４に対する位置関係に基づいて液晶パネル２１１に対する保護パネル１７の取付位置を判別するための保護パネルアライメントマーク（部材アライメントマーク）を兼ねている。また、本実施形態では、一対の偏光板２１２のそれぞれに偏光板アライメントマーク２１５が設けられている点でも上記した実施形態１とは異なっている。
【００４１】
続いて、保護パネル１７を液晶パネル２１１に対して取り付ける際の作業について説明する。図１６は、パネルアライメントマーク２１４と遮光性意匠部１８と偏光板アライメントマーク２１５及びバックライトアライメントマーク２１６とが回転方向について不整合となった状態を示す平面図である。なお、図１６では、保護パネル１７における遮光性意匠部１８の形成領域（遮光領域）を網掛け状にして図示している。保護パネル１７は、液晶パネル２１１及び第２偏光板２１２βにおける表側の板面に対して重なるよう取り付けられる。図１３に示される回転対称形状とされる保護パネル１７の取り付けに際しては、液晶パネル２１１の板面内に設けられたパネルアライメントマーク２１４と、保護パネル１７の板面内に設けられた遮光性意匠部１８と、の位置関係に基づいて液晶パネル２１１に対する保護パネル１７の取付位置を判別することができる。例えば、図１５に示すように、パネルアライメントマーク２１４の外形と、遮光性意匠部１８の外形と、が互いに並行し且つほぼ一致する配置となる場合には、液晶パネル２１１に対する保護パネル１７の取付位置が正常であると判断することができる。これに対し、図１６に示すように、パネルアライメントマーク２１４の外形に対して遮光性意匠部１８の外形が回転方向について位置ずれした配置となる場合には、液晶パネル２１１に対する保護パネル１７の取付位置が回転方向について位置ずれしていると判断することができる。なお、パネルアライメントマーク２１４の外形に対して遮光性意匠部１８の外形がＸ軸方向またはＹ軸方向について位置ずれした配置に関しては、図示を省略している。以上により、パネルアライメントマーク２１４に対する遮光性意匠部１８の位置関係に基づいて、液晶パネル２１１に対する保護パネル１７の取付位置が正常になるようアライメントをとることができる。もって、液晶パネル２１１に対する保護パネル１７のアライメント精度が向上する。また、一対の偏光板２１２のそれぞれに偏光板アライメントマーク２１５が設けられているので、次の作用が得られる。第１偏光板２１２αを液晶パネル２１１に対して取り付ける際には、第１偏光板２１２αに設けられた偏光板アライメントマーク２１５と、アレイ基板２１１Ｂに設けられたパネルアライメントマーク２１４と、の位置関係に基づいて第１偏光板２１２αの取付位置を判別することができる。第２偏光板２１２βを液晶パネル２１１に対して取り付ける際には、第２偏光板２１２βに設けられた偏光板アライメントマーク２１５と、ＣＦ基板２１１Ａに設けられたパネルアライメントマーク２１４と、の位置関係に基づいて第２偏光板２１２βの取付位置を判別することができる。これにより、液晶パネル２１１に対する一対の偏光板２１２のアライメント精度がそれぞれ向上する。
【００４２】
以上説明したように本実施形態によれば、部材には、液晶パネル２１１を外側から覆って保護する保護パネル１７が少なくとも含まれる。このようにすれば、パネルアライメントマーク２１４と保護パネルアライメントマークとの位置関係に基づいて液晶パネル２１１に対する部材である保護パネル１７の取付位置を判別することが可能となる。これにより、液晶パネル２１１に対する保護パネル１７のアライメント精度が向上する。
【００４３】
また、保護パネル１７には、遮光性を有する遮光性意匠部１８が設けられており、遮光性意匠部１８は、パネルアライメントマーク２１４及び偏光板アライメントマーク２１５と重畳するよう配されていて保護パネルアライメントマーク（部材アライメントマーク）を兼ねる。このようにすれば、パネルアライメントマーク２１４と保護パネルアライメントマークを兼ねる遮光性意匠部１８との位置関係に基づいて液晶パネル２１１に対する保護パネル１７の取付位置を判別することが可能となる。遮光性意匠部１８は、パネルアライメントマーク２１４及び偏光板アライメントマーク２１５と重畳するよう配されているので、例えばパネルアライメントマーク２１４及び偏光板アライメントマーク２１５を光が透過した場合にその光を遮ることができる。これにより、外観に優れるとともに表示品位が良好になる。
【００４４】
また、偏光板２１２は、液晶パネル２１１を挟み込むよう一対が取り付けられており、偏光板アライメントマーク２１５は、一対の偏光板２１２にそれぞれ設けられている。このようにすれば、一対の偏光板２１２を液晶パネル２１１に対して取り付ける際には、一対の偏光板２１２のそれぞれに設けられた偏光板アライメントマーク２１５と、液晶パネル２１１を構成する一対の基板２１１Ａ，２１１Ｂのそれぞれに設けられたパネルアライメントマーク２１４と、の位置関係に基づいて液晶パネル２１１に対する一対の偏光板２１２の取付位置をそれぞれ判別することが可能となる。これにより、液晶パネル２１１に対する一対の偏光板２１２のアライメント精度がそれぞれ向上する。
【００４５】
＜実施形態４＞
本発明の実施形態４を図１７によって説明する。この実施形態４では、上記した実施形態３から液晶パネル３１１を反射型に変更したものを示す。なお、上記した実施形態３と同様の構造、作用及び効果について重複する説明は省略する。
【００４６】
図１７は、液晶表示装置３１０の断面図である。本実施形態に係る液晶パネル３１１は、専ら外光を利用して画像を表示する反射型とされている。従って、この液晶表示装置３１０は、図１７に示すように、上記した実施形態３に記載したようなバックライト装置を有さない。また、偏光板３１２は、液晶パネル３１１に対して表側の板面に対してのみ取り付けられている。このような構成であっても、保護パネル３１７を液晶パネル３１１に対して取り付ける際の取付位置を、図示しないパネルアライメントマークと遮光性意匠部との位置関係に基づいて判別することが可能とされる。
【００４７】
＜他の実施形態＞
本発明は上記記述及び図面によって説明した実施形態に限定されるものではなく、例えば次のような実施形態も本発明の技術的範囲に含まれる。
（１）上記した各実施形態では、パネルアライメントマークの平面形状が枠状とされる場合を示したが、パネルアライメントマークの平面形状を、偏光板アライメントマークやバックライトアライメントマークなどと同様に、方形とすることも可能である。
（２）上記した各実施形態では、各アライメントマークの平面形状が相似形とされる場合を示したが、各アライメントマークの平面形状が非相似形であっても構わない。
（３）上記した各実施形態以外にも、各アライメントマークの具体的な設置数、平面配置及び平面形状などは適宜に変更可能である。
（４）上記した（３）において各アライメントマークの平面形状を変更する場合には、例えば、三角形、四角形、または五角形などの多角形、楕円形のような円形、星形、スペード形、クローバ形のような記号、数字、および文字、などを挙げることができ、これら以外にも種々の平面形状をとることが可能である。
（５）上記した（３）において各アライメントマークの設置数を変更する場合には、各アライメントマークの設置数を３つ以下または５つ以上とすることができる。その場合、各アライメントマークの平面配置に関しては、各アライメントマークの配置角度間隔を９０°以外として等しくするのが好ましいが、必ずしもその限りではない。各アライメントマークの平面配置を変更する場合には、各アライメントマークの配置角度間隔を不等にすることが可能である。
（６）上記した各実施形態では、パネルアライメントマークと、他のアライメントマーク（偏光板アライメントマーク、バックライトアライメントマーク及び遮光性意匠部）と、が平面に視てほぼ全域が重畳し合う関係の場合を例示したが、パネルアライメントマークと、他のアライメントマークと、が平面に視て部分的に重畳し合う関係であったり、非重畳となる関係であったりしても構わない。
（７）上記した各実施形態では、偏光板に設けた開口が偏光板アライメントマークとされる場合を示したが、偏光板に偏光板アライメントマークとして着色部、凹部、凸部などを設けるようにしても構わない。
（８）上記した各実施形態では、バックライト装置を構成する光学部材に設けた開口がバックライトアライメントマークとされる場合を示したが、光学部材にバックライトアライメントマークとして着色部、凹部、凸部などを設けるようにしても構わない。
（９）上記した各実施形態では、液晶パネルに対して偏光板に加えてバックライト装置や保護パネルを取り付ける場合について例示したが、バックライト装置や保護パネル以外にも、例えば部材としてタッチパネルを液晶パネルに取り付ける場合にも適用可能である。その場合は、タッチパネルにタッチパネルアライメントマーク（部材アライメントマーク）を設けるようにすればよい。
（１０）上記した各実施形態では、液晶パネル、偏光板、バックライト装置及び保護パネルの各外形がいずれも円形状とされる場合を示したが、それ以外にも、例えば液晶パネル、偏光板、バックライト装置及び保護パネルの各外形がいずれも楕円形状であっても構わない。
（１１）上記した各実施形態では、液晶パネルを構成するＣＦ基板側に対向電極を設けた場合を例示したが、ＣＦ基板の対向電極に代えてアレイ基板側に共通電極を設けるようにしても構わない。この場合、液晶パネルの動作モードは、ＦＦＳモードなどとされるのが好ましい。
（１２）上記した各実施形態では、一対の偏光板がクロスニコル配置とされるノーマリブラックモードの液晶パネルを例示したが、一対の偏光板がパラレルニコル配置とされるノーマリホワイトモードの液晶パネルにも本発明は適用可能である。
（１３）上記した各実施形態では、透過型または反射型の液晶パネルを備える液晶表示装置を示したが、半透過型の液晶パネルを備える液晶表示装置であっても構わない。
（１４）上記した各実施形態では、表示パネルとして液晶パネルを用いた場合を示したが、ＭＥＭＳ（Micro Electro Mechanical Systems）表示パネルを用いることも可能である。その場合は、上記した実施形態１から実施形態３と同様に、バックライト装置が必要となる。
（１５）上記した各実施形態では、表示パネルとして液晶パネルを用いた場合を示したが、表示パネルとして有機ＥＬパネルなどを用いた場合にも適用可能である。その場合は、上記した実施形態４と同様に、バックライト装置が不要となる。
（１６）上記した各実施形態では、ウェアラブル端末に用いる液晶表示装置を示したが、ヘッドマウントディスプレイやヘッドアップディスプレイなどに用いる液晶表示装置であってもよい。それ以外にも、車載型端末（カーナビゲーションシステム）に用いる液晶表示装置やレーダ探知機に用いる液晶表示装置や自動車などのメータ表示に用いる液晶表示装置であっても構わない。
【符号の説明】
【００４８】
１０，２１０，３１０…液晶表示装置（表示装置）、１１，２１１，３１１…液晶パネル（表示パネル）、１１Ａ，２１１Ａ…ＣＦ基板（基板）、１１Ｂ，２１１Ｂ…アレイ基板（基板）、１１ＤＳ…表示面、１２，１１２，２１２，３１２…偏光板、１２α，１１２α，２１２α…第１偏光板（一方の偏光板）、１２β，１１２β，２１２β…第２偏光板（他方の偏光板）、１３，２１３…バックライト装置（照明装置、部材）、１４，２１４…パネルアライメントマーク、１５，１１５，２１５…偏光板アライメントマーク、１６，２１６…バックライトアライメントマーク（部材アライメントマーク）、１７，３１７…保護パネル、１８…遮光性意匠部（部材アライメントマーク）、ＡＡ…表示領域、ＮＡＡ…非表示領域
【図１】
2019070734.tif 000003
【図２】
2019070734.tif 000004
【図３】
2019070734.tif 000005
【図４】
2019070734.tif 000006
【図５】
2019070734.tif 000007
【図６】
2019070734.tif 000008
【図７】
2019070734.tif 000009
【図８】
2019070734.tif 000010
【図９】
2019070734.tif 000011
【図１０】
2019070734.tif 000012
【図１１】
2019070734.tif 000013
【図１２】
2019070734.tif 000014
【図１３】
2019070734.tif 000015
【図１４】
2019070734.tif 000016
【図１５】
2019070734.tif 000017
【図１６】
2019070734.tif 000018
【図１７】
2019070734.tif 000019